(57)【特許請求の範囲】
【請求項１】
リーリングする際に、スプール軸(100)のピン(6)がピニオン(140)のピン係止溝(8c)に結合され、ピニオン(140)がスプール軸(100)から分離されると、スプールの自由回転状態になるようにするリールのスプール自由回転誘導構造において、
前記スプール軸(100)にはピン(6)に近接したところに段(101)を形成させ、
これと所定の距離を維持したところにも段(102)を形成させ、これら段の間には小直径部(103)を形成させ、
前記ピニオン(140)には、前記スプール軸(5)の段(101)が挿入される溝(8k)を形成させ、孔(141)に前記スプール軸(5)の段(102)が位置可能な幅の拡張溝(143)を形成させ、
ピニオン(140)がスプール軸(5)に結合されて回転力を伝達するときはスプール軸の段(101,102)がピニオンの溝(8k)と孔(142)に接触され、反対にピニオン(140)がスプール軸(100)から分離されてスプールが空回転するときはスプール軸(100)の段(102)はピニオンの孔(141)の拡張溝(143)中に位置することで、スプール軸(100)とピニオン(140)の摩擦係数を極小化することを特徴とする釣り用両軸受形リールのスプール自由回転誘導構造。
【請求項２】
リーリングする際に、スプール軸(5)のピン(6)がピニオン(200)のピン係止溝(8c)に結合され、ピニオン(200)がスプール軸(5)から分離されると、スプールの自由回転状態になるようにするリールのスプール自由回転誘導構造において、
段(10a)を有するカムプレート(10)、及び、突出リング部(3a)を有するサイドカバー(3)備え、
前記スプール軸(5)には、小直径部(5c)と、前記小直径部の左右に大直径部(5a)と前記大直径部と直径が同一の段(5b)を形成させ、
前記ピニオン(200)には、前記スプール軸(5)の大直径部(5a)と段(5b)が挿入される孔(207)に拡張溝(202)を形成させ、ピン係止溝(8c)の側に拡張突起帯(203)を形成させると共にピン係止溝の反対側端部に突出管部(500)を形成させ、前記突出管部(500)の外側縁部に傾斜面(501)を形成させ、
スプール軸(5)からピニオン(200)が分離されたときにピニオン(200)の拡張突起帯(203)はカムプレート(10)の段(10a)に挿入されると共に突出管部(500)の傾斜面(501)がサイドカバー(3)に形成される突出リング部(3a)の傾斜面(3b)に接触されて自動的にセンタリングが維持することにより、スプール軸(5)とピニオン(200)の摩擦係数を極小化することを特徴とする釣り用両軸受形リールのスプール自由回転誘導構造。請求項２について、従属請求項３の内容を表すようにして新請求項１としました。この際、図８〜９及びその関連記載（段落番号００１１の第３〜４文）に基づいて、参照符号を挿入するとともに、審査官ご指摘の記載不備を改めるよう補正を行いました。また、元の請求項４を新請求項２とし、図１０〜１１及び関連記載（段落番号００１２）に基づいて、参照符号を挿入するとともに、審査官ご指摘の記載不備を改めるよう補正を行いました。なお、新請求項１〜２の特徴は、引用文献１（実公昭６０−０１３３５９）及び引用文献２（特願平１０−２７１９３７）に記載も示唆もされていないと考えます。
【発明の詳細な説明】
【０００１】
【発明の属する技術分野】
本発明は、釣り用両軸受形リールのスプール自由回転誘導構造に関するものである。
【０００２】
【従来の技術】
キャスティング（ｃａｓｔｉｎｇ）するとき、スプールは如何なる部品からも干渉を受けず、すなわち最小の摩擦力が作用され、あるいはほぼ摩擦力が作用されない状態とならなければキャスティングの効果が極大化しない。キャスティングするとき、リール本体１に装置されるサムバー（ｔｈｕｍｂ  ｂａｒ）を押すと、スプール軸５のピン６に結合されているピニオン８はスプール軸から外れて結局スプール軸は自由な状態となる。したがって、スプール４の回転作用は他の部品から干渉を受けないようになる。ところが、従来のスプール自由回転誘導構造は、スプール軸からピニオンが分離された状態でもピニオン８の内径とスプール軸５の外径が摩擦されるので、結局スプールの自由回転に相当な支障をもたらした。したがって、スプールの空回転作用が円満でないので遠投時に飛距離が短くなり、スプールが空回転するとき騒音が発生するという短所があった。
【０００３】
【発明が解決しようとする課題】
したがって本発明の目的は、スプール軸からピニオンが分離された状態でスプール軸とピニオンとの間で作用する摩擦力を極小化した釣り用両軸受形リールのスプール自由回転誘導構造を提供することにある。
【０００４】
また本発明は、スプール軸からピニオンが分離された状態でスプール軸とピニオンとの間で作用する摩擦力をほぼゼロ化した釣り用両軸受形リールのスプール自由回転誘導構造を提供することにある。
【０００５】
【課題を解決するための手段】
このような目的を達成するために本発明は、第一に、リーリングする際に、スプール軸５のピン６がピニオン８のピン係止溝８ｃに結合され、ピニオン８がスプール軸５から分離されるとスプールの自由回転状態になるようにするリールのスプール自由回転誘導構造において、前記スプール軸は小直径部５ｃと、前記小直径部５ｃの左右に大直径部５ａと前記大直径部５ａと直径が同一の段５ｂを形成させ、前記ピニオンは前記スプール軸の大直径部が挿入される孔８ａに拡張溝８ｂを形成させ、前記ピニオンがスプール軸に結合されて回転力を伝達するときは大直径部５ａと段５ｂがピニオンの孔８ａに接触されるようにし、反対にピニオンがスプール軸から分離されてスプールが空回転するときはスプール軸の段５ｂはピニオンの拡張溝８ｂの中に位置させてスプール軸とピニオンの摩擦係数を極小化することを特徴とする釣り用両軸受形リールのスプール自由回転誘導構造を提供する。
【０００６】
第二に、リーリングする際に、スプール軸１００のピン６がピニオン１２０のピン係止溝８ｃに結合され、ピニオン１２０がスプール軸１００から分離されると、スプールの自由回転状態になるようにするリールのスプール自由回転誘導構造において、前記スプール軸はピン６に近接したところに段１０１を形成させ、これと所定の距離を維持したところにも段１０２を形成させ、これら段１０１、１０２の間には小直径部１０３を形成させ、前記ピニオンは前記スプール軸の段１０１が挿入される溝８ｋを形成させ、直径が大きい孔１２１の外側端部には前記スプール軸の段１０２を支持可能な孔１２２を形成させ、ピニオンがスプール軸に結合されて回転力を伝達するときはスプール軸の段１０１、１０２がピニオンの溝８ｋと孔１２２に接触され、反対にピニオンがスプール軸から分離されてスプールが空回転するときはスプール軸の段１０２はピニオンの孔１２１の中に位置することで、スプール軸とピニオンの摩擦係数を極小化することを特徴とする釣り用両軸受形リールのスプール自由回転誘導構造を提供する。
【０００７】
第三は、リーリングする際に、スプール軸５のピン６がピニオン２００のピン係止溝８ｃに結合され、ピニオン２００がスプール軸５から分離されると、スプールの自由回転状態になるようにするリールのスプール自由回転誘導構造において、前記スプール軸は小直径部５ｃと、前記小直径部５ｃの左右に大直径部５ａと前記大直径部５ａと直径が同一の段５ｂを形成させ、前記ピニオンは前記スプール軸の大直径部と段が挿入される孔２０７に拡張溝２０２を形成させ、ピン係止溝の側に拡張突起帯２０３を形成させると共にピン係止溝の反対側端部に突出管部５００を形成させ、前記突出管部の外側縁部に傾斜面５０１を形成させ、スプール軸からピニオンが分離されたときにピニオンの拡張突起帯２０３はカムプレートの段１０ａに挿入されると共に突出管部５００の傾斜面５０１がサイドカバー３に形成される突出リング部３ａの傾斜面３ｂに接触されて自動的にセンタリングが維持することにより、スプール軸とピニオンの摩擦係数をほぼゼロ化することを特徴とする釣り用両軸受形リールのスプール自由回転誘導構造を提供する。
【０００８】
第四に、リーリングする際に、スプール軸５のピン６がピニオン２００のピン係止溝８ｃに結合され、ピニオン２００がスプール軸５から分離されると、スプールの自由回転状態になるようにリールのスプール自由回転誘導構造において、前記スプール軸は小直径部５ｃと、前記小直径部５ｃの左右に大直径部５ａと、前記大直径部５ａと直径が同一の段５ｂとを形成させ、前記ピニオンは前記スプール軸の大直径部と段が挿入される孔２０７に拡張溝２０２を形成させ、ピン係止溝側に拡張突起帯２０３を形成させて、スプール軸からピニオンが分離されたときにピニオンの拡張突起帯２０３はカムプレートの段１０ａに挿入されて支持されるようにすることにより、スプール軸とピニオンの摩擦係数を極小化することを特徴とする釣り用両軸受形リールのスプール自由回転誘導構造を提供する。
【０００９】
【発明の実施の形態】
以下、本発明の望ましい実施例を添付の図面を参照して詳細に説明する。そして、下記の説明において、本発明による動作を理解するのに必要な部分のみを説明し、それ以外の部分についての説明は本発明の要旨を不明にする恐れがあるので省略する。
【００１０】
図３及び図４は本発明の基本構成に該当するもので、ピニオン８がスプール軸５に組み立てるときに図３のようにピニオンの孔８ａはスプール軸の大直径部５ａと段５ｂに接触される。一方、段５ｂで延長された延長部５ｄはその端部分が図１に示すようにブレークノブ１６のワシャ１７に接触され、その直径はスプール軸の小直径部５ｃと同一であり、あるいはより小さくすることができる。これは、以下に説明する他の実施例でも同様である。更に、ピニオン８がスプール軸５から分離されたときは図４に示すようにピニオン８の孔８ａはスプール軸に干渉を受けず、スプール軸の段５ｂはピニオンの拡張溝８ｂの中に位置するようになる。したがって、スプール４が空回転するとき、スプール軸５は如何なる部品からも干渉を受けず自由に回転をするようになる。ところが、図２に示すようにピニオン８がスプール軸５から分離された場合、スプールが高速に回転するときに発生する振動によりピニオン８のある部分（孔のある部分）がスプール軸に接触する可能性が全くないと言えない。したがって、この状態は理論的に摩擦係数がほぼゼロ化に近い状態とは言えないことである。上述したように、予想される現象は図６及び図８の場合と同様である。しかし、これらは従来の構造に比べてスプール軸とピニオンの摩擦係数が極小化するという点は否認できない。
【００１１】
図６は本発明の他の実施例を示すもので、上記したようにピニオン１２０がスプール軸１００に組み立てられるときにはピニオンの溝８ｋがスプール軸の段１０１に接触され、同時にスプール軸の段１０２はピニオンの孔１２２に接触される。以後、スプール軸からピニオンが分離されるときには図７のようにスプール軸の段１０２はピニオンの孔１２１の中に位置するようになる。次に、図８も本発明のまた他の実施例を示すもので、ピニオンの孔１４１に拡張溝１４３が形成されているので、図９に示すようにピニオンがスプール軸から分離されたときにスプール軸の段１０２はピニオンの拡張溝１４３の中に位置するようになる。説明しない符号１４２は孔を示すもので、スプール軸の段１０２が接触される。
【００１２】
次に、図１０及び図１１は本発明のまた他の実施例を示すが、これは多少格別な構造を有する。すなわち、ピニオン２００がスプール軸５から分離されたときにピニオン２００のある部分ともスプール軸５は接触しない状態を示す。これについて、詳細に説明する。まず、図１０の場合は、サイドカバー３に突出リング部３ａが形成され、その内側縁部には傾斜面３ｂが形成されている。そして、カムプレート１０の孔には段１０ａが形成されている。一方、ピニオン２００は前記スプール軸の大直径部５ａと段５ｂが挿入される孔２０７との間に拡張溝２０２を形成させ、ピン係止溝側に拡張突起帯２０３を形成させると共にピン係止溝の反対側の端部に突出管部５００を形成させるが、この突出管部の外側縁部に傾斜面５０１が形成されるようにする。したがって、スプール軸にピニオンが組み立てられるとき、スプール軸の大直径部５ａと段５ｂはピニオンの孔２０７に接触され、スプール軸からピニオンが分離されたときはピニオンの拡張突起帯２０３はカムプレート１０の段１０ａの内面に挿入されると同時に、突出管部５００の傾斜面５０１がサイドカバー３に形成された突出リング部３ａの傾斜面３ｂに接触されて自動的にセンタリングが維持されるようにすることで、スプール軸とピニオンの摩擦係数をほぼゼロ化することが可能になる。このとき、スプール軸の段５ｂはピニオンの溝２０２の中に位置されることは当然である。つまり、ピニオン２００は突出管部３ａと上記の段１０ａ、すなわち２部分を通じて完全に支持され、特に相互に接触される傾斜面５０１及び３ｂの自動センタリング機能によりスプールの回転時に振動が発生してもピニオンは全く揺動をしなくなることにより、摩擦係数のゼロ化を実現することができる。
【００１３】
そして、図１２及び図１３は本発明の応用例に該当するもので、サイドカバーの突出リング部３ａが省略され、ピニオンの突出管部５００が省略された場合である。これは、図１０の場合から非常に容易に変形させうるもので、当然に本発明の権利範囲に属することは自明である。これはリール本体とサイドカバーの組立状態が精密でない場合に備えて案出した形態に該当する。
【００１４】
【発明の効果】
上述したように本発明は、スプールの空回転時にスプール軸とピニオンの摩擦係数をほぼゼロ化させ、あるいはゼロ化を図るようにすることにより、スプールの自由回転を一番理想的に誘導することができる特徴がある。これにより、遠投時に飛距離が最大に発揮される有用な効果があり、スプールの空回転時の騒音や振動が発生することがなくなって、商品性が向上する長所がある。
【図面の簡単な説明】
【図１】本発明の使用状態を示す断面図。
【図２】図１においてスプール軸とピニオンが分離された状態を示す断面図。
【図３】図１及び図２においてスプール軸とピニオンの結合及び分離状態を示す拡大図。
【図４】図１及び図２においてスプール軸とピニオンの結合及び分離状態を示す拡大図。
【図５】本発明の分解斜視図。
【図６】本発明の他の実施例による一部拡大図。
【図７】本発明の他の実施例による一部拡大図。
【図８】本発明のまた他の実施例による一部拡大図。
【図９】本発明のまた他の実施例による一部拡大図。
【図１０】本発明の他の実施例による一部拡大断面図。
【図１１】本発明の他の実施例による一部拡大断面図。
【図１２】本発明のまた他の実施例を示す断面図。
【図１３】本発明のまた他の実施例を示す断面図。
【符号の説明】
１：リール本体                      ３：サイドカバー
３ａ：突出管部                        ４：スプール
５：スプール軸                      ８：ピニオン
１０：カムプレート                  １１：ピニオンヨーク
【図１】
0003575411.tif 000002
【図２】
0003575411.tif 000003
【図３】
0003575411.tif 000004
【図４】
0003575411.tif 000005
【図５】
0003575411.tif 000006
【図６】
0003575411.tif 000007
【図７】
0003575411.tif 000008
【図８】
0003575411.tif 000009
【図９】
0003575411.tif 000010
【図１０】
0003575411.tif 000011
【図１１】
0003575411.tif 000012
【図１２】
0003575411.tif 000013
【図１３】
0003575411.tif 000014